(57)【要約】【課題】  調理器本体の据付作業者に対する負担を軽減させ、かつ据付作業を安定させることができるようにする。【解決手段】  調理器本体１の上端に張出部２１，２３を設け、調理器本体１をキッチンカウンタトップ１９の据付開口穴１９ａに嵌め込み、張出部２１，２３を据付開口穴１９ａのエッジに下方より支持させることで据え付ける組込式加熱調理器において、前記調理器本体１の張出部２１，２３の下面に把手２５，２６を設ける。【選択図】        図１
2006078126.tif 000002
【特許請求の範囲】
【請求項１】
調理器本体の上端に張出部を設け、該調理器本体をキッチンカウンタトップの据付開口穴に嵌め込み、前記張出部を前記据付開口穴のエッジに下方より支持させることで据え付ける組込式加熱調理器において、
前記調理器本体の前記張出部の下面に把手を設けたことを特徴とする組込式加熱調理器。
【請求項２】
前記把手が調理器本体重心位置に対し前後方向で後方となる位置に設けられていることを特徴とする請求項１記載の組込式加熱調理器。
【請求項３】
前記把手を、一部が調理器本体における垂直壁と前記張出部とのコーナ部にかかるように前記張出部の下面に形成した凹部または凸部から構成したことを特徴とする請求項１又は請求項２記載の組込式加熱調理器。
【請求項４】
前記張出部の下面に、前記凹部または凸部の先端から連続する凹条または凸条を該張出部の延長方向に設けたことを特徴とする請求項３記載の組込式加熱調理器。
【発明の詳細な説明】
【技術分野】
【０００１】
本発明は、ヒータ、電磁誘導加熱コイル、ロースタなど複数の加熱手段を備え、キッチンに組み込まれる調理器に関するものである。
【背景技術】
【０００２】
従来より、キッチンに組み込まれる組込式加熱調理器が知られている。このような組込式加熱調理器においては、調理器本体内に配置されたヒータと電磁誘導加熱コイルの上方に天板となる調理プレートが設けられ、前面には調理器の操作スイッチやロースタの調理庫を開閉する把手の付いた扉が設けられている。
【０００３】
このようなものにおいて、加熱調理器の据付作業は、以下のように行われる。すなわち、電磁誘導加熱コイル、駆動基板、冷却ファン、モータ等を収納し調理プレートを取り付けてなる本体上部組立体と、ロースタ、正面操作部を有する本体下部組立体とに分割構成されてなる分割据付タイプの場合、予めキッチンカウンタのトップ側と前面側にそれぞれ設けられている据付開口穴のうちトップ側据付開口穴に固定枠を取り付け、前面側据付開口穴より前記固定枠に本体下部組立体を正面から引出をしまうように押し込む。次いで、トップ側据付開口穴を通して本体上部組立体と本体下部組立体との間でリード線の結線を行なった後、トップ側据付開口穴より本体上部組立体を嵌め込むことで据付作業が完了する。
【０００４】
また、本体上部組立体と本体下部組立体が一体化されてなる一体据付タイプの場合は、調理器本体をキッチンカウンタのトップ側据付開口穴より直接入れ込み、正面部分の調理庫扉とキッチンカウンタの前面側据付開口穴などとの間に生じる隙間に化粧パネルを装着することで据付作業が完了する。
【０００５】
すなわち、分割据付タイプ、一体据付タイプのいずれの場合も、調理器本体におけるキッチンカウンタのトップ側据付開口穴のエッジとの掛かり部分（フラットに形成された張出部）を手で持ち上げ、その状態でトップ側据付開口穴内に調理器本体を通すことで据付作業が行われる（例えば特許文献１参照）。
【０００６】
なお、キッチンカウンタのトップ側据付開口穴のエッジに３〜４mmの高さの切り起こしを設けるとともに、調理器本体の張出部に前記切り起こしが嵌入可能な溝を全周に亘って形成したものもある（例えば特許文献２参照）。
【０００７】
【特許文献１】特開２００４−０６９１７２号公報
【特許文献２】特開２００３−２４７７２５号公報
【発明の開示】
【発明が解決しようとする課題】
【０００８】
従来の組込式加熱調理器は、以上のように構成され、調理器本体に設けたフラットな張出部または全周溝付きの張出部を持ち上げ、その状態でトップ側据付開口穴内に調理器本体を通すことで据付作業が行われる。ところが、調理器本体の張出部には把手が存在していないため、比較的重量の重いこのタイプの加熱調理器を持ち上げる際に、手や指、腰に負担が掛かっていた。このため、据付作業が不安定となり、据付作業時にキッチンなどに傷を付けてしまう虞れがあり、改善が求められていた。
【０００９】
なお、全周溝付きの張出部の溝は、キッチンカウンタのトップ側据付開口穴のエッジの３〜４mmの高さの切り起こしが嵌入できる程度の、幅が狭く、浅い溝であり、把手として機能するものではなかった。
【００１０】
本発明の技術的課題は、調理器本体の据付作業者に対する負担を軽減させ、かつ据付作業を安定させることができるようにすることにある。
【課題を解決するための手段】
【００１１】
本発明に係る組込式加熱調理器は、下記の構成からなるものである。すなわち、調理器本体の上端に張出部を設け、調理器本体をキッチンカウンタトップの据付開口穴に嵌め込み、張出部を据付開口穴のエッジに下方より支持させることで据え付ける組込式加熱調理器において、調理器本体の張出部の下面に把手を設けたものである。
【発明の効果】
【００１２】
本発明の組込式加熱調理器においては、調理器本体の張出部の下面に把手を設けているので、調理器本体据付作業者の手や指、腰への負担が軽減され、据付作業を安定して行なわせることができて、キッチンなどへの傷付きなどを防止することが可能となる。
【発明を実施するための最良の形態】
【００１３】
実施の形態１．
以下、図示実施形態により本発明を説明する。
図１は本発明の実施の形態１に係る組込式加熱調理器の調理器本体と調理プレートを分解して示す正面図、図２は調理プレートを取り外した状態の調理器本体を示す斜視図、図３はその調理器本体に調理プレートを取り付けた状態を示す斜視図、図４は図２のＡ−Ａ線矢視部分（張出部）の詳細斜視図、図５は図３のＢ−Ｂ線矢視断面図である。なお、ここでは一体据付タイプを例に挙げて説明する。
【００１４】
本実施形態の組込式加熱調理器は、本体上部組立体と本体下部組立体が一体化されてなる調理器本体１と、その上端に取り付けられて天板となる調理プレート２とから構成される。
【００１５】
これを更に詳述すると、調理器本体１には、その内部の手前側左右にそれぞれ電磁誘導加熱コイル（電磁誘導加熱ヒータ）３，４が、また奥側中央部に通常のヒータ５が配置されているとともに、電磁誘導加熱ヒータ３，４の近傍に加熱時間を表示する液晶表示部６，７と火力表示ランプ８，９及び各種設定内容を表示する上面液晶表示部１１が配置され、またヒータ５の近傍にも火力表示ランプ１２が配置されている。また、調理器本体１内の奥側左右には、ロースタの排気口１３と電磁誘導加熱ヒータ３，４を駆動する回路基板を冷却するためのファン（いずれも図示せず）の吸気口１４が設置されている。更に、調理器本体１の前面には、前記各ヒータ配置位置に対応させた配置となるように設けられた火力調整つまみ３ａ，４ａ，５ａと、前記上面液晶表示部９と同様に各種設定内容を表示する前面液晶表示部１５、及びロースタの調理庫を開閉する把手１６の付いた扉１７が設けられている。
【００１６】
調理プレート２は調理器本体１にねじ止めされるもので、その前記各ヒータに対応する位置には鍋の載置台となる加熱部３ｂ，４ｂ，５ｂが設けられているとともに、前記加熱時間表示用の液晶表示部６，７と火力表示ランプ８，９，１２及び上面液晶表示部１１に対応する位置にそれぞれ透明窓６ｃ，７ｃ，８ｃ，９ｃ，１２ｃ，１１ｃが設けられ、さらにロースタの排気口１３に対応する位置にロースタ排気口フィルタ１３ａが、またファンの吸気口１４に対応する位置に吸気フィルタ１４ａが配置されている。また、調理プレート２の前縁部には、各種の上面操作ボタン１８が配置されている。
【００１７】
而して、調理器本体１には、その上端にキッチンカウンタトップ１９の据付開口穴１９ａ（図１）のエッジに下方より支持される張出部２１，２２，２３，２４（図１，２）が設けられており、そのうち左右の張出部２１，２３には、その下面における調理器本体重心位置Ｇ（図３）に対し前後方向で後方となる位置にそれぞれ把手２５，２６が設けられている。
【００１８】
把手２５，２６は何れも同一構成を有しているため、以下に一方（正面からみて左側）の把手２５のみについて図４及び図５に基づき説明する（後述の実施の形態２、実施の形態３においても同様）。
【００１９】
把手２５は、一部が調理器本体１における垂直壁２７と張出部２１とのコーナ部にかかるように張出部２１の下面に形成した凸部２５ａから構成され、張出部２１の補強リブとしての機能も有している。
【００２０】
以上の構成を有する本実施形態の組込式加熱調理器において、調理器本体１の据付作業は、以下のように行われる。まず、調理器本体１の左右の張出部２１，２３の調理器本体重心位置に対し前後方向で後方となる位置を軽くつかみ、その状態で把手２５，２６となる凸部２５ａ，２５ａに指が掛かるまで手を手前にスライドさせ、凸部２５ａ，２５ａに指が掛かればその位置で左右の張出部２１，２３をしっかりつかみ、必要に応じて調理器本体１の前面側も胸や腹で支え（この状態では３点支持となり、かつ３点を結ぶエリア内に重心があるため安定する）、持ち上げ、その状態でキッチンカウンタトップ１９の据付開口穴１９ａ内に調理器本体１を通し、調理器本体１の張出部２１，２２，２３，２４を据付開口穴１９ａのエッジに下方より支持させる。その後、正面部分の調理庫の扉１７とキッチンカウンタの前面側据付開口穴などとの間に生じる隙間に化粧パネルを装着することで、据付作業が完了する。
【００２１】
このように、本実施形態の組込式加熱調理器においては、調理器本体１の張出部２１，２３の下面に把手２５，２６を設けているので、調理器本体据付作業者の手や指、腰への負担が軽減され、据付作業を安定して行なわせることができて、キッチンなどへの傷付きなどを防止することができる。
【００２２】
また、把手２５，２６を、一部が調理器本体１における垂直壁２７と張出部２１，２３とのコーナ部にかかるように張出部２１，２３の下面に形成した凸部２５ａ，２５ａから構成したので、把手２５，２６に張出部２１の補強リブとしての機能を持たせることができる。なお、把手２５，２６は、凸形状に限るものでなく、凹形状としてもよい。
【００２３】
また、本実施形態では、調理器本体１の張出部２１，２３の下面における調理器本体重心位置Ｇに対し前後方向で後方となる位置、つまり調理器本体１が据付作業者側に傾く位置に把手２５，２６を設けているので、さらに調理器本体据付作業者の手や指、腰への負担が軽減され、据付作業を安定して行なわせることができ、ひいてはより良好にキッチンなどへの傷付きなどを防止することができる。
【００２４】
なお、本実施形態ではロースタの扉１７及び内部のトレイ等を装着した状態でキッチンカウンタトップ１９に据付可能な調理器を例に挙げて説明したが、ロースタの扉１７及び内部のトレイ等を外した状態で据え付けるタイプの調理器においては、これらを取り外した、据付可能な状態下での調理器本体重心位置よりもさらに後方となる位置に把手２５，２６を設けていることが良い。このように構成することで、やはり前述のように良好な据付作業における効果を奏することが可能となる。
【００２５】
さらに本実施形態では、張出部に把手が設けられた調理器本体外殻が一部材からなる板材を成形加工して使用されている。調理器本体の重量は非常に大きいため、本体を持ち上げる際に調理プレート２に手を掛けて持ち上げてしまうと、本体外殻と調理プレート２の結合部分が外れてしまう恐れもある。しかし、本実施形態では調理器本体外殻が一部材からなる板材を成形加工されており、その本体外殻の張出部に把手が設けられているため、本体を持ち上げる際にも本体外殻の張出部に設けられた把手に手が掛かるようになり、このような不具合が発生することも防止することができる。
【００２６】
実施の形態２．
図６は本発明の実施の形態２に係る組込式加熱調理器の要部である張出部の把手部分を示す斜視図、図７はその張出部の把手部分を調理プレートを取り付けた状態で示す断面図であり、各図中、前述の実施形態１と同一部分には同一符号を付してある。なお、ここでも加熱調理器は一体据付タイプであるものとする。
【００２７】
本実施形態の組込式加熱調理器は、調理器本体１の張出部２１（及び２３）の下面における調理器本体重心位置に対し前後方向で後方となる位置における垂直壁２７と張出部２１とのコーナ部にかかるように、前述の実施形態１で説明したと同様の凸部２５ａを形成するとともに、凸部２５ａの先端から連続するように張出部２１（及び２３）の延長方向に延びる凸条２５ｂを設け、これら凸部２５ａと凸条２５ｂによって把手２５Ａが構成されるようにしたものであり、それ以外の構成は前述の実施形態１と同一であり、実施形態１のもつ機能を全て備えている。
【００２８】
本実施形態においては、前述の実施形態１と同様の作用、効果、つまり凸部２５ａによる前後方向の位置決め（指の引っかかり）効果に加え、凸条２５ｂによる正面からみて左右方向への位置決め（指の引っかかり）も発生するので、調理器本体据付作業者の手や指、腰への負担がより軽減され、据付作業を一層安定して行なわせることができて、キッチンなどへの傷付きなどを防止することができる。
【００２９】
また、凸部２５ａとその先端から連続するように形成した凸条２５ｂとにより、格子状リブが形成されるので、補強リブとしての機能を高めることができる。
【００３０】
実施の形態３．
図８は本発明の実施の形態３に係る組込式加熱調理器の要部である張出部の把手部分を示す斜視図、図９はその張出部の把手部分を調理プレートを取り付けた状態で示す断面図であり、各図中、前述の実施形態１と同一部分には同一符号を付してある。なお、ここでも加熱調理器は一体据付タイプであるものとする。
【００３１】
本実施形態の組込式加熱調理器は、調理器本体１の張出部２１（及び２３）の下面における調理器本体重心位置に対し前後方向で後方となる位置における垂直壁２７と張出部２１とのコーナ部にかかるように、凹部２５ｃを形成するとともに、凹部２５ｃの先端から連続するように張出部２１（及び２３）の延長方向に延びる凹条２５ｄを設け、これら凹部２５ｃと凹条２５ｄによって把手２５Ｂが構成されるようにしたものであり、それ以外の構成は前述の実施形態１及び実施形態２と同一であり、実施形態１及び実施形態２のもつ機能を全て備えている。
【００３２】
すなわち、前述の実施形態２の把手２５Ａを構成する格子状リブが凸部２５ａとその先端から連続するように形成した凸条２５ｂとにより形成されているのに対し、本実施形態の把手２５Ｂを構成する格子状リブは、凹部２５ｃとその先端から連続するように形成した凹条２５ｄとにより形成されている点が異なっているだけである。したがって、本実施形態の組込式加熱調理器も前述の実施形態２と同様の作用、効果を奏する。
【００３３】
なお、前述の各実施形態では、何れもヒータの一部が電磁誘導加熱ヒータからなる一体据付タイプの組込式加熱調理器に本発明を用いたものを例に挙げて説明したが、これに限るものでなく、ヒータが全て通常のヒータから構成される一体据付タイプの組込式加熱調理器や分割据付タイプの組込式加熱調理器にも本発明を適用できることは言うまでもない。
【図面の簡単な説明】
【００３４】
【図１】本発明の実施形態１に係る組込式加熱調理器の調理器本体と調理プレートを分解して示す正面図である。
【図２】実施形態１に係る組込式加熱調理器の調理プレートを取り外した状態の調理器本体を示す斜視図である。
【図３】実施形態１に係る組込式加熱調理器の調理器本体に調理プレートを取り付けた状態を示す斜視図である。
【図４】図２のＡ−Ａ線矢視部分（張出部）の詳細斜視図である。
【図５】図３のＢ−Ｂ線矢視断面図である。
【図６】本発明の実施形態２に係る組込式加熱調理器の要部である張出部の把手部分を示す斜視図である。
【図７】実施形態２に係る組込式加熱調理器の張出部の把手部分を調理プレートを取り付けた状態で示す断面図である。
【図８】本発明の実施形態３に係る組込式加熱調理器の要部である張出部の把手部分を示す斜視図である。
【図９】本発明の実施形態３に係る組込式加熱調理器の張出部の把手部分を調理プレートを取り付けた状態で示す断面図である。
【符号の説明】
【００３５】
１  調理器本体、１９  キッチンカウンタトップ、１９ａ  据付開口穴、２１，２３  張出部、２５，２６，２５Ａ，２５Ｂ  把手、２５ａ  凸部、２５ｂ  凸条、２５ｃ  凹部、２５ｄ  凹条、２７  垂直壁、Ｇ  調理器本体重心位置。
【図１】
2006078126.tif 000003
【図２】
2006078126.tif 000004
【図３】
2006078126.tif 000005
【図４】
2006078126.tif 000006
【図５】
2006078126.tif 000007
【図６】
2006078126.tif 000008
【図７】
2006078126.tif 000009
【図８】
2006078126.tif 000010
【図９】
2006078126.tif 000011